(57)【要約】      （修正有）【課題】定量排出機能に加えてチャイルドレジスタンス機能を付与し、幼い子供による開封を防止することができる定量排出機能付きキャップを提供する。【解決手段】定量排出機能付きキャップ１０は、排出口１２が形成され、容器口部Ｅ１に固定される中栓１４と、中栓１４に回転可能に保持される筒部１６、および該筒部１６の所定の回転位置にて排出口１２と一致する計量室１８を区画する計量部材２２と、計量部材２２の筒部１６の外面に螺着された周壁２４、および計量室１８を覆う天壁２６を有するオーバーキャップ２８と、計量部材２２の筒部１６とオーバーキャップ２８の周壁２４との間に、容器Ｅの正立姿勢下でオーバーキャップ２８の周壁２４の下端側に位置してオーバーキャップ２８を計量部材２２に相対回転不能に係止する一方、容器Ｅの傾倒姿勢下で、計量部材２２に対するオーバーキャップ２８の開封方向への回転を許容する規制体３０と、を備える。【選択図】図１
2019099204.tif 000002
【特許請求の範囲】
【請求項１】
容器口部に装着され、内容物の定量取り出しが可能な定量排出機能付きキャップであって、
排出口が形成され、前記容器口部に固定される中栓と、
前記中栓に回転可能に保持される筒部、および該筒部の上部に形成され前記中栓に対する所定の回転位置にて前記排出口と一致する計量室を区画する上壁を有する計量部材と、
前記計量部材の前記筒部の外面に螺着された周壁、および該周壁の上端を閉塞し前記計量室を覆う天壁を有するオーバーキャップと、
前記計量部材の前記筒部と前記オーバーキャップの前記周壁との間に、容器の正倒立動作に伴いキャップ軸線に沿って移動可能にかつ前記オーバーキャップと同期回転可能に配置され、容器の正立姿勢下で前記オーバーキャップの前記周壁の下端側に位置して前記オーバーキャップを前記計量部材に相対回転不能に係止する一方、容器の傾倒姿勢下で前記容器の正立姿勢時の位置よりも前記周壁の上端側に位置して、前記計量部材に対する前記オーバーキャップの開封方向への回転を許容する規制体と、を備えることを特徴とする定量排出機能付きキャップ。
【請求項２】
前記規制体は、前記計量部材の前記筒部へ向けて突出するリブを有し、
前記計量部材の前記筒部の外面には、前記規制体が容器の正立姿勢下で前記周壁の下端側に位置するときに前記規制体の前記リブの両側方にそれぞれ隣接し、前記計量部材に対する前記規制体の回転を規制する一対の回転規制リブが形成されていることを特徴とする、請求項１に記載の定量排出機能付きキャップ。
【請求項３】
前記計量部材の前記筒部の外面には、容器の傾倒姿勢下で、前記オーバーキャップが開封方向に回転させられた際に、前記規制体の前記リブが乗り越え可能に係合する係合リブが形成されていることを特徴とする、請求項２に記載の定量排出機能付きキャップ。
【請求項４】
前記規制体の前記リブは、前記計量部材の前記係合リブを乗り越えた後に、前記筒部の外面に形成されたおねじと係合可能であることを特徴とする、請求項３に記載の定量排出機能付きキャップ。
【請求項５】
前記計量部材の前記筒部の内面には、前記中栓に向けて突出する内向き凸部が形成され、
前記中栓には、前記内向き凸部に前記計量部材の回転方向で当接することにより、前記中栓に対する前記計量部材の回転を前記オーバーキャップの閉鎖方向での回転終端位置と、前記オーバーキャップの開封方向での回転終端位置との間に制限する外向き凸部が形成され、
前記閉鎖方向での回転終端位置において、前記計量室が前記中栓の前記排出口に一致することを特徴とする、請求項１から４までのいずれか一項に記載の定量排出機能付きキャップ。
【発明の詳細な説明】
【技術分野】
【０００１】
本発明は、容器口部に装着され、内容物の定量取り出しを可能にする定量排出機能付きキャップに関する。
【背景技術】
【０００２】
簡単な操作で定量の錠剤を取り出すことができる錠剤容器が提案されている（例えば、特許文献１参照）。
【０００３】
上記特許文献１の錠剤容器は、胴部１０より口頸部１２を起立した容器体Ａと、口頸部１２に装着した固定部Ｂ１に開閉可能に開閉部Ｂ２を連結したキャップＢとを備え、固定部Ｂ１は、容器体口頸部１２の上端開口を被覆する頂板２１の裏面に並設した複数の下部仕切板２２と、下部仕切板２２間の頂板２１部分にそれぞれ穿設した、一つの錠剤が通過可能な通過孔２４と、下部仕切板２２間上部において下部仕切板２２両縁部より通過孔２４に向かって漸次上昇するように設けた一対の導入案内面２６，２６と、各通過孔２４とそれぞれ隣接して下部仕切板２２間の頂板２１部分上面にそれぞれ凹設した錠剤の嵌合凹部２３とを備え、開閉部Ｂ２は、頂部裏面に垂設した複数の上部仕切板３３と、上部仕切板３３間の通過孔２４から嵌合凹部２３に亘る上方位置にそれぞれ設けた円弧帯状案内面３５とを備え、通過孔２４から嵌合凹部２３への一つの錠剤が通過可能な導入路ｒをそれぞれ画成しているものである（参照符号は、特許文献１に従う）。
【０００４】
上記錠剤容器は、一つの錠剤が通過可能な導入路ｒを経て各嵌合凹部２３へ錠剤が導入されるため、一旦計量した錠剤が容器の不用意な傾倒によりもとに戻ることがなく、確実に計量錠剤のみが各嵌合凹部２３に計量され、使い勝手が良いものである。
【先行技術文献】
【特許文献】
【０００５】
【特許文献１】特開２００９−２８６４９３号公報
【発明の概要】
【発明が解決しようとする課題】
【０００６】
本発明は、定量排出機能に加えてチャイルドレジスタンス機能を付与し、幼い子供による開封を防止することができる定量排出機能付きキャップを提供することを目的とする。
【課題を解決するための手段】
【０００７】
本発明は、容器口部に装着され、内容物の定量取り出しが可能な定量排出機能付きキャップであって、上記課題を解決するため、排出口が形成され、前記容器口部に固定される中栓と、前記中栓に回転可能に保持される筒部、および該筒部の上部に形成され前記中栓に対する所定の回転位置にて前記排出口と一致する計量室を区画する上壁を有する計量部材と、前記計量部材の前記筒部の外面に螺着された周壁、および該周壁の上端を閉塞し前記計量室を覆う天壁を有するオーバーキャップと、前記計量部材の前記筒部と前記オーバーキャップの前記周壁との間に、容器の正倒立動作に伴いキャップ軸線に沿って移動可能にかつ前記オーバーキャップと同期回転可能に配置され、容器の正立姿勢下で前記オーバーキャップの前記周壁の下端側に位置して前記オーバーキャップを前記計量部材に相対回転不能に係止する一方、容器の傾倒姿勢下で前記容器の正立姿勢時の位置よりも前記周壁の上端側に位置して、前記計量部材に対する前記オーバーキャップの開封方向への回転を許容する規制体と、を備えている。
【０００８】
なお、本発明の定量排出機能付きキャップにあっては、前記規制体は、前記計量部材の前記筒部へ向けて突出するリブを有し、前記計量部材の前記筒部の外面には、前記規制体が容器の正立姿勢下で前記周壁の下端側に位置するときに前記規制体の前記リブの両側方にそれぞれ隣接し、前記計量部材に対する前記規制体の回転を規制する一対の回転規制リブが形成されていることが好ましい。
【０００９】
また、本発明の定量排出機能付きキャップにあっては、前記計量部材の前記筒部の外面には、容器の傾倒姿勢下で、前記オーバーキャップが開封方向に回転させられた際に、前記規制体の前記リブが乗り越え可能に係合する係合リブが形成されていることが好ましい。
【００１０】
さらに、本発明の定量排出機能付きキャップにあっては、前記規制体の前記リブは、前記計量部材の前記係合リブを乗り越えた後に、前記筒部の外面に形成されたおねじと係合可能であることが好ましい。
【００１１】
さらに、本発明の定量排出機能付きキャップにあっては、前記計量部材の前記筒部の内面には、前記中栓に向けて突出する内向き凸部が形成され、前記中栓には、前記内向き凸部に前記計量部材の回転方向で当接することにより、前記中栓に対する前記計量部材の回転を前記オーバーキャップの閉鎖方向での回転終端位置と、前記オーバーキャップの開封方向での回転終端位置との間に制限する外向き凸部が形成され、前記閉鎖方向での回転終端位置において、前記計量室が前記中栓の前記排出口に一致することが好ましい。
【発明の効果】
【００１２】
容器の正立姿勢下では、規制体がオーバーキャップの周壁の下端側に位置してオーバーキャップを計量部材に相対回転不能に係止するので、オーバーキャップの開放は防止される。一方、容器を傾倒させると、容器内の内容物が排出口から計量室内に取り込まれて計量されるとともに、規制体が、容器の正立姿勢時の位置よりも周壁の上端側に自重により移動して、計量部材に対するオーバーキャップの開封方向への回転を許容するので、オーバーキャップを取り外し、計量した内容物を取り出すことができる。
【００１３】
したがって、本発明によれば、定量排出機能に加えてチャイルドレジスタンス機能を備えたキャップを提供することができる。
【図面の簡単な説明】
【００１４】
【図１】本発明に従う一実施形態の定量排出機能付きキャップを容器口部に装着した状態で示す断面図である。
【図２】図１中のＡ−Ａ’線に沿う断面図である。
【図３】図１中のＢ−Ｂ’線に沿う断面図である。
【図４】計量部材に形成された計量室と中栓に形成された排出口との位置関係を説明する平面図である。
【図５】オーバーキャップの一部を切り欠いた定量排出機能付きキャップの側面図である。
【図６】容器の傾倒姿勢下で、図２の状態からオーバーキャップを、規制体による連係下で計量部材とともに開封方向へ回転させたときの断面図である。
【図７】容器の傾倒姿勢下で図３の状態からオーバーキャップを、規制体による連係下で計量部材とともに開封方向へ回転させたときの断面図である。
【図８】図１の状態から容器を傾倒させた状態を示す断面図である。
【図９】オーバーキャップの一部を切り欠いた、容器の傾倒姿勢下での定量排出機能付きキャップの側面図である。
【図１０】容器の傾倒姿勢下で、内容物の計量後、オーバーキャップを開封方向へ回転させ排出口を遮断した様子を説明する断面図である。
【図１１】図１０の状態での、計量室と排出口との位置関係を説明する平面図である。
【図１２】図７の状態からオーバーキャップを開封方向へさらに回転させ、規制体のリブが計量部材に形成された係合リブを乗り越えた直後の様子を説明する断面図である。
【図１３】図１０の状態からオーバーキャップを開封方向へさらに回転させ、オーバーキャップが規制体とともに計量部材から取り外された様子を説明する断面図である。
【発明を実施するための形態】
【００１５】
以下、本発明の実施の形態を図面を参照して説明する。
【００１６】
図１は、本発明に従う一実施形態の定量排出機能付きキャップ（以下、単に「キャップ」という。）をボトル型容器の口部に装着した状態で示す断面図であり、図２は図１中のＡ−Ａ’線に沿う断面図であり、図３は図１中のＢ−Ｂ’線に沿う断面図であり、図４は計量部材に形成された計量室と中栓に形成された排出口との位置関係を説明する平面図であり、図５は、オーバーキャップの一部を切り欠いたキャップの側面図である。また、図６は、容器の傾倒姿勢下で、図２の状態からオーバーキャップを、規制体による連係下で計量部材とともに開封方向へ回転させたときの断面図であり、図７は、容器の傾倒姿勢下で図３の状態からオーバーキャップを、規制体による連係下で計量部材とともに開封方向へ回転させたときの断面図である。
【００１７】
図１に示すように、キャップ１０は、排出口１２が形成され、容器Ｅの口部Ｅ１に固定される中栓１４と、中栓１４に回転可能に保持される筒部１６、および該筒部１６の上部に形成され中栓１４に対する所定の回転位置にて排出口１２と一致する計量室１８を区画する上壁２０を有する計量部材２２と、計量部材２２の筒部１６の外面に螺着された周壁２４、および該周壁２４の上端を閉塞し計量室１８を覆う天壁２６を有するオーバーキャップ２８と、計量部材２２の筒部１６とオーバーキャップ２８の周壁２４との間に、容器Ｅの正倒立動作に伴いキャップ軸線Ｘに沿って移動可能にかつオーバーキャップ２８と同期回転可能に配置され、容器Ｅの正立姿勢下でオーバーキャップ２８の周壁２４の下端側に位置してオーバーキャップ２８を計量部材２２に相対回転不能に係止する一方、容器Ｅの傾倒姿勢下で容器Ｅの正立姿勢時の位置よりも周壁２４の上端側に位置して、計量部材２２に対するオーバーキャップ２８の開封方向への回転を許容する規制体３０と、を備えている。キャップ１０を構成する中栓１４、計量部材２２、オーバーキャップ２８、および規制体３０は各々合成樹脂からなり、射出成形等で形成することができる。以下、より具体的に説明する。
【００１８】
図１〜４に示すように、中栓１４は、容器Ｅ内に収容される例えば粒状の内容物を計量部材２２へ向けて排出するものであり、相互間に環状溝を形成しその環状溝内に容器Ｅの口部Ｅ１が挿入されて固定される同心の外筒３２および内筒３４と、該内筒３４の下端から漏斗状に縮径しながら上方に延出する導出壁３６とを有している。導出壁３６の上端には、上記排出口１２がキャップ軸線Ｘに対して偏心した位置に形成されている。図示例では、中栓１４は、外筒３２を容器Ｅの口部Ｅ１に嵌合させることで固定しているが、固定方法は特に限定されず、環状溝内に容器Ｅの口部Ｅ１を圧入することで固定してもよい。
【００１９】
図１に示すように、計量部材２２は、中栓１４の導出壁３６を経て排出口１２から排出された内容物を計量するものであり、中栓１４に回転可能に保持されている。計量部材２２は、上記筒部１６の内面に形成された内向き凸部３８を中栓１４の外筒３２の外面に形成された周方向溝４０に上向き方向で係合させることにより、上方へ離脱不能に保持されている。なお、「離脱不能」とは通常の使用では中栓１４から離脱されないことを意味し、如何なる物理的方法をもってしても離脱できないことを意味するものではない。図示例では、２つの内向き凸部３８がキャップ軸線Ｘを挟んで対向する位置に形成されている。
【００２０】
図２に示すように、計量部材２２の内向き凸部３８に関連して、中栓１４には、内向き凸部３８に計量部材２２の回転方向で当接することにより、中栓１４に対する計量部材２２の回転をオーバーキャップ２８の閉鎖方向（図２中矢印Ｃ１方向）での回転終端位置と、オーバーキャップ２８の開封方向（図６中矢印Ｃ２方向）での回転終端位置との間に制限する外向き凸部４２が形成されている。つまり、閉鎖方向での回転終端位置は、図２において内向き凸部３８が外向き凸部４２に当接した位置であり、開封方向での回転終端位置は、図６において内向き凸部３８が外向き凸部４２に当接した位置である。内向き凸部３８および外向き凸部４２は、閉鎖方向での回転終端位置において、計量室１８が中栓１４の排出口１２に一致するよう配置されている（図１および図４参照）。
【００２１】
図１に示すように、オーバーキャップ２８は、計量部材２２に被せられて計量室１８の出口側を閉塞するものであり、オーバーキャップ２８の上記周壁２４に形成されためねじ４４を計量部材２２の筒部１６に形成されたおねじ４６に係合させることで、着脱可能に構成されている。また、周壁２４は、めねじ４４の下方において内面側から厚みが減じられており、規制体３０はその薄肉領域に配置されている。周壁２４の下端には、半径方向内方へ突出し、規制体３０の脱落を防止する突出部４８が形成されている。
【００２２】
規制体３０は、容器Ｅの正倒立動作に伴い、オーバーキャップ２８の周壁２４の薄肉領域内でキャップ軸線Ｘに沿って自重で移動可能であり、キャップ１０が正立姿勢にあるときは、計量部材２２に対するオーバーキャップ２８の相対回転による開封を規制し、キャップ１０が傾倒（倒立）姿勢にあるときのみ計量部材２２に対するオーバーキャップ２８の相対回転による開封を許容するものである。図１および図５に示すように、規制体３０は、計量部材２２の筒部１６よりも径が大きい環状の帯部５０と、帯部５０の上端の、キャップ軸線Ｘを挟んだ対向位置から上方に突出した２つの突片５２とを有している。突片５２は１つでもよい。突片５２の両側部は、オーバーキャップ２８の周壁２４と回転方向で係止可能であり（図３および図７参照）、これにより規制体３０は、オーバーキャップ２８と同期回転（共回り）する。各突片５２には、計量部材２２の筒部１６へ向けて突出するリブ５４が形成されている。リブ５４は、キャップ軸線Ｘに対する直交面に対して、オーバーキャップ２８のめねじ４４のリード角と等しい角度で傾斜している。
【００２３】
規制体３０のリブ５４に関連して、計量部材２２の筒部１６の外面には、図３および図５に示すように、規制体３０が容器Ｅの正立姿勢下で周壁２４の下端側に位置するときに規制体３０のリブ５４の両側方にそれぞれ隣接し、計量部材２２に対する規制体３０の回転、ひいてはオーバーキャップ２８の回転を規制する一対の回転規制リブ５６，５８が形成されている。回転規制リブ５６，５８は、筒部１６の外面に形成されたおねじ４６の下側の末端部近傍に形成されている。一対の回転規制リブの一方５６は、おねじ４６の下側の末端部から連続してキャップ軸線Ｘ下向きに形成され、他方の回転規制リブ５８は、一対の回転規制リブ５６，５８間に規制体３０のリブ５４が遊動できるだけの隙間を形成する位置でキャップ軸線Ｘに沿って形成されている。したがって、一対の回転規制リブ５６，５８は、容器Ｅの正倒立動作に伴う規制体３０の、キャップ軸線Ｘに沿う移動をガイドする役割も果たしている。
【００２４】
また、計量部材２２の筒部１６の外面には、図７に示すように、容器Ｅの傾倒姿勢下で、オーバーキャップ２８が開封方向に回転させられた際に、規制体３０のリブ５４が乗り越え可能に係合する係合リブ６０が形成されている。係合リブ６０は図５においても視認できる。係合リブ６０は、容器Ｅの傾倒姿勢下で規制体３０のリブ５４に係合し、オーバーキャップ２８が開封方向に回転させられた際に、所定の回転範囲だけ、本例では上記閉鎖方向での回転終端位置（図２参照）から上記開封方向での回転終端位置（図６参照）に至る回転範囲だけ、オーバーキャップ２８と計量部材２２とを共回りさせて計量室１８を中栓１４の排出口１２からずらして排出口１２を遮断し、計量室１８を中栓１４の排出口１２からずらした後は規制体３０のリブ５４を乗り越えさせ、オーバーキャップ２８の開封を許容するものである。規制体３０のリブ５４が係合リブ６０を確実に乗り越えるようにするため、本例において係合リブ６０は、回転規制リブ５６，５８よりも低く形成される。また、係合リブ６０は、その両側面が傾斜した台形断面形状としたり、片側に傾斜面を設けた形状等としたりしてもよく、オーバーキャップ２８と計量部材２２とを所定の回転範囲だけ共回りさせ、その後は規制体３０のリブ５４による乗り越えを許容できる限り、その形状や寸法に特に限定はない。
【００２５】
上記構成からなるキャップ１０を用いて、容器Ｅ内の内容物を一定量取り出すには、まず、図８に示すように、中栓１４の排出口１２と計量部材２２の計量室１８とが一致した状態で容器Ｅを正立姿勢から傾倒させる。これにより、容器Ｅ内の内容物（図示例では１つの粒状体）が計量室１８に入り、計量される。なお、図１および図５に示すような容器Ｅの正立姿勢下で、キャップ１０を開封しようとすると、オーバーキャップ２８を回転させようとする力が、規制体３０のリブ５４と計量部材２２の一対の回転規制リブ５６，５８との当接を経て計量部材２２に伝わるが、上記開封方向での回転終端位置では、計量部材２２は内向き凸部３８および外向き凸部４２の当接によって回転が制限されているため、当該回転終端位置を超えて開封方向へ回転させることはできない。したがって、幼い子供による開封を防止することができる。
【００２６】
キャップ１０を開封するためには、容器Ｅを傾倒させる必要があり、この状態では規制体３０は、図８および図９に示すように、その自重により周壁２４の上端側（図では下方）へ移動する。規制体３０が周壁２４の上端側へ移動すると、計量部材２２のおねじ４６の末端部に連設された係合リブ６０と係合可能な状態となり、この状態からオーバーキャップ２８を開封方向へ回転させると、リブ５４と係合リブ６０との連係によりオーバーキャップ２８および計量部材２２は、図６および図７に示した開封方向での回転終端位置まで一緒に回転する。これにより、図１０および図１１に示すように、計量室１８と排出口１２の位置がずれ、排出口１２は計量部材２２の上壁２０によって遮断される。そして、引き続きオーバーキャップ２８を開封方向へ回転させると、計量部材２２は外向き凸部４２と内向き凸部３８との当接によりそれ以上開封方向へ回転できないため（図６参照）、図１２に示すように、規制体３０のリブ５４は計量部材２２の係合リブ６０を乗り越え、係合リブ６０を乗り越えた後は、オーバーキャップ２８のめねじ４４と同じように計量部材２２のおねじ４６と係合し、最終的には、図１３に示すように、オーバーキャップ２８と規制体３０は共に、計量部材２２から離脱し、計量された内容物の取り出しが可能になる。
【００２７】
なお、内容物の取り出し後のオーバーキャップ２８の再装着は、オーバーキャップ２８を計量部材２２に載置した際に規制体３０が周壁２４の上端側へ移動するので、容器Ｅを正立させた状態で行うことができる。
【００２８】
したがって、本実施形態のキャップ１０によれば、定量排出機能を備えるとともに、幼い子供による開封を防止することができる。
【００２９】
また、本実施形態のキャップ１０では、計量部材２２の筒部１６の内面には、中栓１４に向けて突出する内向き凸部３８が形成され、中栓１４には、内向き凸部３８に計量部材２２の回転方向で当接することにより、中栓１４に対する計量部材２２の回転をオーバーキャップ２８の閉鎖方向での回転終端位置と、オーバーキャップ２８の開封方向での回転終端位置との間に制限する外向き凸部４２が形成され、閉鎖方向での回転終端位置において計量室１８が中栓１４の排出口１２に一致する構成としたので、オーバーキャップ２８を閉鎖方向の最終位置まで回転させるだけで計量室１８を排出口１２に確実に一致させることができる。
【００３０】
さらに、本実施形態のキャップ１０では、計量部材２２の筒部１６の外面には、容器Ｅの傾倒姿勢下で、オーバーキャップ２８が開封方向に回転させられた際に、規制体３０のリブ５４が乗り越え可能に係合する係合リブ６０が形成されているので、オーバーキャップ２８および計量部材２２が図６に示した開封方向での回転終端位置に至るまでは、リブ５４と係合リブ６０との係合により、中栓１４に対するオーバーキャップ２８および計量部材２２の回転を許容して計量部材２２の上壁２０で排出口１２を遮断することができ、当該開封方向での回転終端位置に到達した後は、リブ５４が係合リブ６０を越え、計量部材２２に対するオーバーキャップ２８の開封方向への回転が可能となるので、オーバーキャップ２８を取り外すことができる。
【００３１】
さらに、本実施形態のキャップ１０では、規制体３０のリブ５４は、計量部材２２の係合リブ６０を乗り越えた後に、計量部材２２の筒部１６の外面に形成されたおねじ４６と係合可能であるので、規制体３０をオーバーキャップ２８と一緒に取り外すことができる。
【産業上の利用可能性】
【００３２】
この発明によれば、定量排出機能に加えてチャイルドレジスタンス機能を付与し、幼い子供による開封を防止することができる定量排出機能付きキャップを提供することができる。
【符号の説明】
【００３３】
１０  定量排出機能付きキャップ
１２  排出口
１４  中栓
１６  筒部
１８  計量室
２０  上壁
２２  計量部材
２４  周壁
２６  天壁
２８  オーバーキャップ
３０  規制体
３２  外筒
３４  内筒
３６  導出壁
３８  内向き凸部
４０  周方向溝
４２  外向き凸部
４４  めねじ
４６  おねじ
４８  突出部
５０  帯部
５２  突片
５４  リブ
５６，５８  回転規制リブ
６０  係合リブ
Ｅ  容器
Ｅ１  口部
【図１】
2019099204.tif 000003
【図２】
2019099204.tif 000004
【図３】
2019099204.tif 000005
【図４】
2019099204.tif 000006
【図５】
2019099204.tif 000007
【図６】
2019099204.tif 000008
【図７】
2019099204.tif 000009
【図８】
2019099204.tif 000010
【図９】
2019099204.tif 000011
【図１０】
2019099204.tif 000012
【図１１】
2019099204.tif 000013
【図１２】
2019099204.tif 000014
【図１３】
2019099204.tif 000015